(57)【要約】      （修正有）【課題】大気中の二酸化炭素の低減に十分に寄与する装置を提供する。【解決手段】葉緑体を含む植物を外面に備えた装置３であって、前記装置外部の温度を計測する温度測定部３１と、前記植物を備える前記外面における光量値を計測する光量測定部３２と、前記植物を備える前記外面に設けられた排気口３３と、前記温度測定部によって計測された前記温度が、前記装置の設置場所において前記植物の光合成活動が低減する所定の温度以下で、且つ、前記光量測定部によって計測された前記光量値が、前記植物が光合成を開始する所定の光量値以上である場合には、第１の信号を出力する制御部３４と、前記第１の信号が入力されると、前記排気口から前記装置の発熱を受けた前記装置内部の空気を排出する排気部３５と、を備える。【選択図】図６
2016063799.tif 000002
【特許請求の範囲】
【請求項１】
葉緑体を含む植物を外面に備えた装置であって、
前記装置外部の温度を計測する温度測定部と、
前記植物を備える前記外面における光量値を計測する光量測定部と、
前記植物を備える前記外面に設けられた排気口と、
前記温度測定部によって計測された前記温度が、前記装置の設置場所において前記植物の光合成活動が低減する所定の温度以下で、且つ、前記光量測定部によって計測された前記光量値が、前記植物が光合成を開始する所定の光量値以上である場合には、第１の信号を出力する制御部と、
前記第１の信号が入力されると、前記排気口から前記装置の発熱を受けた前記装置内部の空気を排出する排気部と、
を備えることを特徴とする装置。
【請求項２】
前記所定の温度は、前記装置の設置場所における第１の温度よりも低く、前記第１の温度時よりも前記植物の光合成活動が低下する、前記装置の設置場所における第２の温度である、
ことを特徴とする請求項１に記載の装置。
【請求項３】
前記温度測定部は、第１のタイミングになると、前記装置外部の温度を計測して出力し、
前記光量測定部は、前記第１のタイミング又は第２のタイミングになると、前記植物を備える前記外面において計測した光量値を出力し、
前記制御部は、前記温度測定部から入力された前記温度が前記所定の温度以下で、且つ、前記光量測定部から入力された前記光量値が前記所定の光量値以上である場合には、前記第１の信号を出力し、
前記排気部は、前記空気を含む空間に備わり、前記第１の信号が入力されると、前記空気を前記排気口に送風する、
ことを特徴とする請求項１乃至２のいずれか１項に記載の装置。
【請求項４】
光のあたる複数の前記外面に、前記植物と、前記光量測定部と、前記排気口と、を備え、
前記光量測定部は、自身が備わる前記外面に対応する所定の識別子及び自身が備わる前記外面において測定した前記光量値を出力し、
前記制御部は、前記光量測定部から入力された前記光量値と前記識別子を関連づけ、第３のタイミングになると、前記温度測定部から入力された前記温度が前記所定の温度以下で、且つ、前記光量測定部から入力された前記光量値のいずれかが、前記所定の光量値以上である場合には、最も大きな前記光量値に関連する前記識別子を出力し、
前記排気部は、入力された識別子に対応する前記外面に備わる前記排気口に前記空気を送風する、
ことを特徴とする請求項１乃至３のいずれか１項に記載の装置。
【請求項５】
前記排気部は、ファン、エアポンプのいずれか、又は両方を備える、
ことを特徴とする請求項１乃至４のいずれか１項に記載の装置。
【請求項６】
前記ファンは、電気信号が入力されると一定方向に回転する台座の上に備わり、
前記ファンは、入力された識別子に対応する前記外面に向く所定の時間、前記台座に前記電気信号を出力すると、送風を開始する、
ことを特徴とする請求項５に記載の装置。
【請求項７】
葉緑体を含む植物を外面に備えた装置の制御方法であって、
前記装置外部の温度を計測する温度測定工程と、
前記植物を備える前記外面における光量値を計測する光量測定工程と、
前記温度測定工程によって計測された前記温度が、前記装置の設置場所において前記植物の光合成活動が低減する所定の温度以下で、且つ、前記光量測定部によって計測された前記光量値が、前記植物が光合成を開始する所定の光量値以上である場合には、第１の信号を出力する制御工程と、
前記第１の信号が入力されると、前記植物を備える前記外面に設けられた排気口から前記装置の発熱を受けた前記装置内部の空気を排出する排気工程と、を有する、
ことを特徴とする二酸化炭素削減方法。
【請求項８】
前記所定の温度は、前記装置の設置場所における第１の温度よりも低く、前記第１の温度時よりも前記植物の光合成活動が低下する、前記装置の設置場所における第２の温度である、
ことを特徴とする請求項７に記載の二酸化炭素削減方法。
【請求項９】
前記温度測定工程は、第１のタイミングになると、前記装置外部の温度を計測して出力し、
前記光量測定工程は、前記第１のタイミング又は第２のタイミングになると、前記植物を備える前記外面におけて計測した光量値を出力し、
前記制御工程は、前記温度測定工程により入力された前記温度が前記所定の温度以下で、且つ、前記光量測定工程により入力された前記光量値が前記所定の光量値以上である場合には、前記第１の信号を出力し、
前記排気工程は、前記第１の信号が入力されると、前記空気を前記排気口に送風する、
ことを特徴とする請求項７乃至８のいずれか１項に記載の二酸化炭素削減方法。
【請求項１０】
前記光量測定工程は、植物が備わり、且つ、光のあたる複数の前記外面毎に、計測した光量値と前記外面に対応する所定の識別子を出力し、
前記制御工程は、前記光量測定工程により入力された前記光量値と前記識別子を関連づけ、第３のタイミングになると、前記温度測定工程によって入力された前記温度が前記所定の温度以下で、且つ、前記光量測定工程によって入力された前記光量値のいずれかが、前記所定の光量値以上である場合には、最も大きな前記光量値に関連する識別子を出力し、
前記排気工程は、入力された識別子に対応する前記外面に備わる前記排気口に前記空気を送風する、
ことを特徴とする請求項７乃至９のいずれか１項に記載の二酸化炭素削減方法。
【発明の詳細な説明】
【技術分野】
【０００１】
本発明は、装置、二酸化炭素低減方法に関し、特に、光合成を促進する装置、二酸化炭素低減方法に関する。
【背景技術】
【０００２】
近年、大気中の二酸化炭素濃度の増加による地球温暖化が問題となっている。その為、大気中の二酸化炭素濃度低減に寄与する方法や装置が知られるようになってきている。
【０００３】
大気中の二酸化炭素濃度低減に寄与する方法や装置としては、例えば、以下の特許文献１や非特許文献１に開示がされている。
【０００４】
特許文献１の方法は、建造物の表面を緑化する工法である。特許文献１の方法は、多段状に積み重ねが可能な植栽用容器内に保水剤を含む植栽用培土を充填し、該植栽用培土にツル植物を植えた植栽ユニットを、建造物の表面上又はその近傍に設置する。
【０００５】
上述の手順の通り、特許文献１の方法は、緑化に必要なものを全て充填した植栽ユニットを設置するだけなので、建造物の緑化を短時間に完了することができる。また、特許文献１の方法は、一年中光合成を行う常緑のツル植物を用いるので、二酸化炭素濃度の低減に寄与することができる。
【０００６】
一方、上述の非特許文献１にも、二酸化炭素濃度の低減に寄与する装置が開示されている。非特許文献１に開示されている装置は、スナゴケを含む緑化シートを装置上面に備えた自動販売機である。スナゴケは、植物である。
【０００７】
非特許文献１の装置（自動販売機）は、上述の緑化シートによって装置表面の温度上昇を抑えて、消費電力を削減することができると共に、スナゴケが光合成を行うので、大気中の二酸化炭素濃度を低減することができる。
【０００８】
なお、一般的に植物は、気温の低い冬場は夏場ほど光合成を盛んに行わないということが知られている。また、植物は、一定以上の光量がある場合（例えば、昼間）に光合成を行うことが知られている。
【先行技術文献】
【特許文献】
【０００９】
【特許文献１】特開２０１１−１５２０９６号公報
【非特許文献１】東京コカ・コーラボトリング株式会社 ＣＳＲ推進部、“ＣＳＲ ＲＥＰＯＲＴ ２０１１”、［online］、平成２３年７月、東京コカ・コーラボトリング株式会社、ｐ.７−ｐ.８、［平成２６年９月１日検索］、インターネット〈URL：https://www.ecosearch.jp/pdfdata/2011/791_2011.pdf〉
【発明の概要】
【発明が解決しようとする課題】
【００１０】
しかし、上述の特許文献１や非特許文献１に記載されている従来の方法や装置は、単に上述の植物を備えるだけであり、その植物がより盛んに光合成が行うよう制御を行わない為、大気中の二酸化炭素の低減に十分に寄与していないという課題があった。
【００１１】
本発明は、上記課題を解決する装置、二酸化炭素削減方法を提供することを目的とする。
【課題を解決するための手段】
【００１２】
上記目的を達成するために、本発明の装置は、葉緑体を含む植物を外面に備えた装置であって、前記装置外部の温度を計測する温度測定部と、前記植物を備える前記外面における光量値を計測する光量測定部と、前記植物を備える前記外面に設けられた排気口と、前記温度測定部によって計測された前記温度が、前記装置の設置場所において前記植物の光合成活動が低減する所定の温度以下で、且つ、前記光量測定部によって計測された前記光量値が、前記植物が光合成を開始する所定の光量値以上である場合には、第１の信号を出力する制御部と、前記第１の信号が入力されると、前記排気口から前記装置の発熱を受けた前記装置内部の空気を排出する排気部と、を備える。
【００１３】
上記目的を達成するために、本発明の二酸化炭素削減方法は、葉緑体を含む植物を外面に備えた装置の制御方法であって、前記装置外部の温度を計測する温度測定工程と、前記植物を備える前記外面における光量値を計測する光量測定工程と、前記温度測定工程によって計測された前記温度が、前記装置の設置場所において前記植物の光合成活動が低減する所定の温度以下で、且つ、前記光量測定部によって計測された前記光量値が、前記植物が光合成を開始する所定の光量値以上である場合には、第１の信号を出力する制御工程と、前記第１の信号が入力されると、前記植物を備える前記外面に設けられた排気口から前記装置の発熱を受けた前記装置内部の空気を排出する排気工程と、を有する。
【発明の効果】
【００１４】
本発明によれば、装置や方法は、特許文献１や非特許文献１に記載されている従来の装置や方法よりも大気中の二酸化炭素の低減に寄与することができる。
【図面の簡単な説明】
【００１５】
【図１】本発明の第１の実施の形態における基地局装置の構成例を示す図である。
【図２】本発明の第１の実施の形態における基地局装置に備わる排気口の構成例を示す図である。
【図３】本発明の第１の実施の形態における基地局装置の動作を説明する為の図である。
【図４】本発明の第２の実施の形態における基地局装置の構成例を示す図である。
【図５】本発明の第２の実施の形態における基地局装置の動作を説明する為の図である。
【図６】本発明の第３の実施の形態における装置の構成例を示す図である。
【発明を実施するための形態】
【００１６】
次に本発明の実施形態について、図面を参照して詳細に説明する。
【００１７】
≪第１の実施の形態≫
[概要]
本発明の第１の実施の形態における基地局装置は、特許文献１や非特許文献１に記載されている従来の装置や建造物と同様に、外面に緑色植物を備える。但し、本実施形態の基地局装置は、外面に備わる植物の光合成活動が低下する冬場（すなわち、気温が一定以下）になったことを検知すると、（装置が動作することで発生した熱により温められた）装置内部の温かい空気を上述の植物に向けて排出する。上述の植物は、温かい空気に触れ、より盛んに光合成を行うことができる。
【００１８】
本実施形態の基地局装置は、植物の光合成活動をより盛んにするので、単に植物を備えるだけの（特許文献１や非特許文献１に記載されている）従来の装置や建造物よりも大気中の二酸化炭素の低減に寄与することができる。
【００１９】
なお、本実施形態の基地局装置は、植物が光合成を行う昼間であること（すなわち、一定以上の光量があること）を検知した上で上述の温かい空気を植物に排出する。光合成が行われない夜に温かい空気を植物に排出しても、大気中の二酸化炭素を低減することはできないからである。
【００２０】
以下に、本発明の第１の実施の形態における基地局装置の構成や機能、動作について説明する。図１は、本発明の第１の実施の形態における基地局装置の構成例を示す図である。
【００２１】
［構成の説明］
まず、本発明の第１の実施の形態における基地局装置の構成と機能について説明する。
【００２２】
（１）本発明の第１の実施の形態における基地局装置の構成
本実施形態の基地局装置１は、屋外に設置される基地局である。本実施形態の基地局装置１は、図１に示されるように、光合成部１０と、光量測定部１１と、温度測定部１２と、制御部１３と、ファン１４と、排気口１５と、を備える。
【００２３】
光合成部１０は、日光のあたる本実施形態の基地局装置１の上面に備わる。また、排気口１５は、光合成部１０を備える上面に設けられる。
【００２４】
制御部１３は、光量測定部１１、温度測定部１２、及びファン１４と接続される。
【００２５】
（２）基地局装置１を構成する各部位の機能
（２−１）光合成部１０の機能
光合成部１０は、緑色植物を備える緑化シートや植生マットである。緑色植物は、葉緑体を含む植物であり、例えば、スナゴケやツル植物（ヘデラ類）であってもよい。
【００２６】
（２−２）光量測定部１１の機能
光量測定部１１は、光合成部１０（緑化植物）が備わる基地局の外面（以下、「光合成面」という）に設置され、設置された光合成面の光量を測定する。
【００２７】
具体的には、光量測定部１１は、所定のタイミングになると、自身に備わる一般的な光センサーにより、光合成面における光量値を測定し、測定した光量値を出力する。
【００２８】
上述の所定のタイミングは、一定間隔毎のタイミングであり、本実施形態の基地局装置の管理者によって光量測定部１１に設定される。
【００２９】
（２−３）温度測定部１２の機能
温度測定部１２は、基地局１外部に設置され、基地局１外部の温度を測定する。
【００３０】
具体的には、温度測定部１２は、所定のタイミングになると、自身に備わる一般的な温度計により基地局１外部の温度を測定し、測定した温度を出力する。
【００３１】
上述の所定のタイミングは、一定間隔毎のタイミングであり、本実施形態の基地局装置１の管理者によって温度測定部１２に設定される。上述の所定のタイミングは、光量測定部１１の用いる所定のタイミングと異なっていてもよい。
【００３２】
（２−４）制御部１３の機能
（２−４−１）ファン１４を動作させる機能
（機能Ａ）制御部１３は、一般的なメモリを備える。制御部１３は、入力された光量値と温度をメモリに記憶する。
【００３３】
（機能Ｂ）制御部１３は、所定のタイミングになると、メモリから光量値と温度を読み出す。制御部１３は、光量値と温度を読み出すと、読み出した温度が所定の温度以下で、且つ、読み出した光量値が所定の光量値以上であるか否かを判定する。
【００３４】
（機能Ｃ）制御部１３は、読み出した温度が上述の所定の温度以下で、且つ、読み出した光量値が所定の光量値以上である場合には、起動信号を出力する。
【００３５】
（２−４−１−１）上述のファン１４を動作させる機能に関する補足
上述の機能Ｂの判定において、「読み出した温度が所定の温度以下」であることを判定しているのは、（光合成部１０に備わる）緑色植物の光合成活動が気温により低減していることを判定する為である。
【００３６】
また、上述の機能Ｂの判定において、「読み出した光量値が所定の光量値以上」であることを判定しているのは、上述の緑色植物が光合成活動を行う為の一定の光量の光を受けていることを判定する為である。
【００３７】
制御部１３は、上述の機能Ｃにより、寒さにより緑色植物の光合成活動が低減しているときには、上述の緑色植物が光合成活動を行うだけの一定の光量の光を受けていることを条件として、起動信号を出力する。ファン１４を動作させ、装置内部の温かい空気を上述の植物に向けて排出する為である。
【００３８】
上述の判定が正しく行えるよう、上述の所定の温度と所定の光量値は、以下の「（２−４−１−２）」、「（２−４−１−３）」の通りに、本実施形態の基地局装置１の管理者によって制御部１３に設定される。
【００３９】
（２−４−１−２）上述の所定の温度に関する補足
まず、上述の所定の温度は、基地局装置１の設置場所において、（光合成部１０に備わる）緑色植物の光合成活動が低減する温度である。本実施形態の基地局装置１の管理者は、基地局装置１の設置場所において、（光合成部１０に備わる）緑色植物の光合成活動が低減する温度を所定の温度として制御部１３に設定する。
【００４０】
例えば、本実施形態の基地局装置１の管理者は、基地局装置１の設置場所における冬場の温度（例えば、１０℃）を制御部１３に設定してもよい。
【００４１】
また、本実施形態の基地局装置１の管理者は、基地局装置１の設置場所において、上述の緑色植物の光合成活動が低減する温度を、以下のように求め、所定の温度として制御部１３に設定してもよい。
【００４２】
・本実施形態の基地局装置１の管理者は、基地局装置１の設置場所において、ある温度Ａ（例えば、１０℃）のときの上述の緑色植物の光合成速度と、それよりも高い温度Ｂ（例えば、２０℃）のときの上述の緑色植物の光合成速度を計測する。基地局装置１の管理者は、温度Ａ、Ｂを任意に決めてもよい。また、基地局装置１の管理者は、周知のチャンバー法を用いることで光合成速度を計測することができる。基地局装置１の管理者は、温度Ａ（例えば１０℃）の方が、上述の緑色植物の光合成速度が低いことが確認できたのであれば、温度Ａ（例えば１０℃）を緑色植物の光合成活動が低減する温度とする。基地局装置１の管理者は、温度Ａ（例えば１０℃）を所定の温度として制御部１３に設定してもよい。
【００４３】
（２−４−１−３）上述の所定の光量値に関する補足
次に、上述の所定の光量値は、（光合成部１０に備わる）緑色植物が光合成活動を開始する光量値である。
【００４４】
所定の光量値は、本実施形態の基地局装置１の管理者によって制御部１３に設定される。本実施形態の基地局装置１の管理者は、（上述の緑色植物が光合成活動を開始する）明け方の光量値を一般的な光量計で測定し、測定した光量値を所定の光量値として制御部１３に設定してもよい。
【００４５】
（２−４−１−３）上述の所定のタイミングに関する補足
最後に、上述の制御部１３が用いる所定のタイミングは、一定間隔毎のタイミングであり、本実施形態の基地局装置１の管理者によって制御部１３に設定される。制御部１３が用いる所定のタイミングは、光量測定部１１や温度測定部１２の用いる所定のタイミングと異なっていてもよい。
【００４６】
（２−４−２）ファン１４を停止する機能
制御部１３は、読み出した温度が所定の温度より大きい、又は、読み出した光量値が所定の光量値より小さい場合には、停止信号を出力する。
【００４７】
（２−５）ファン１４の機能
ファン１４は、基地局装置１が動作することで発生した熱によって温められた空気がある場所に備わる。上述の空気は、基地局装置１外部の空気よりも温度が高い、温かい空気である。
【００４８】
また、ファン１４は、一般的なファンを備える。ファン１４のファンは、排気口１５に向けて風を起こす向きに設置される。
【００４９】
ファン１４は、制御部１３から起動信号が入力されると、自身に備わるファンを起動し、送風する。
【００５０】
ファン１４は、制御部１３から停止信号が入力されると、自身に備わるファンを停止する。
【００５１】
（２−６）排気口１５の機能
排気口１５は、基地局装置１内部の空気を外部に排出する為の穴である。排気口１５は、基地局装置１が屋外に設置される為、図２に示されるように、装置内部に虫が入らないように、防虫ネット１５０を備えていてもよい。図２は、本実施形態の基地局装置１に備わる排気口１５の構成例を示す図である。
【００５２】
また、排気口１５は、雨も入らないよう、防水フード１５１を備えていてもよい。
【００５３】
［動作の説明］
図３は、本発明の第１の実施の形態における基地局装置１の動作を説明する為の図である。図３を用いて、本実施形態の基地局装置１の詳細な動作を以下に説明する。
【００５４】
（１）光量及び温度の測定・記憶動作
（１−１）光量測定・記憶動作
光量測定部１１は、所定のタイミングになると、図３に示されるように、自身に備わる一般的な光センサーによって、光合成面における光量値を測定し、測定した光量値を制御部１３に出力する（Ｓ１）。
【００５５】
上述の光合成面とは、光合成部１０が備わる基地局装置１の外面のことである。また、上述の所定のタイミングは、上述の「（２−２）光量測定部１１の機能」で説明した通り、一定間隔毎のタイミングである。
【００５６】
次に、制御部１３は、光量測定部１１から光量値が入力されると、入力された光量値をメモリに記憶する（Ｓ２）。
【００５７】
但し、制御部１３は、入力された光量値をメモリの同じ場所に上書きするものとする。これにより、メモリには、常に最新の光量値のみが記憶される。
【００５８】
（１−２）温度測定・記憶動作
一方、温度測定部１２も、所定のタイミングになると、自身に備わる一般的な温度計によって、基地局１外部の温度を測定し、測定した温度を制御部１３に出力する（Ｓ３）。
【００５９】
上述の所定のタイミングは、一定間隔毎のタイミングであり、光量測定部１１が用いる上述の所定のタイミングと異なっていてもよい。
【００６０】
次に、制御部１３は、温度測定部１２から温度が入力されると、入力された温度をメモリに記憶する（Ｓ４）。
【００６１】
但し、制御部１３は、入力された温度をメモリの同じ場所（光量値を記憶する場所とは異なる場所）に記憶するものとする。これにより、メモリには、常に最新の温度のみが記憶される。
【００６２】
（２）制御部１３によるファン１４制御動作
（２−１）ファン１４を動作させる制御
次に、制御部１３は、所定のタイミングになると、メモリから光量値と温度を読み出し、読み出した温度が所定の温度以下で、且つ、読み出した光量値が所定の光量値以上であるか否かを判定する（Ｓ５）。
【００６３】
上述のＳ５は、基地局１外部の温度が、（光合成面に備わる）緑色植物の光合成活動が低減している所定の温度（例えば、冬場の１０℃）以下であるか、さらに、上述の緑色植物に光合成を行うだけの光量があたっているのか否かを判別している。上述の所定のタイミングは、一定間隔毎のタイミングであり、光量測定部１１や温度測定部１２の用いる所定のタイミングと異なっていてもよい。
【００６４】
次に、制御部１３は、上述のＳ５において、読み出した温度が所定の温度以下で、且つ、読み出した光量値が所定の光量値以上である場合（Ｓ５でＹｅｓの場合）には、寒さで緑色植物の光合成活動が低減していているので、ファン１４に起動信号を出力する（Ｓ６）。
【００６５】
次にファン１４は、制御部１３から起動信号が入力されると、自身に備わるファンを回す（Ｓ７）。
【００６６】
このとき、ファン１４のファンは、本実施形態の基地局装置１の管理者によって、基地局装置１内部の温かい空気（基地局装置１が動作することで発生した熱により温められた空気）が溜まる場所に、排気口１５に向けて風を起こす向きを調整して設置されている。
【００６７】
その為、上述のＳ７の動作によって、装置内部の温かい空気が光合成部１０に向けて排出される。
【００６８】
その結果、寒さで光合成活動が低減していた光合成部１０の植物が、温かい空気に触れることで、光合成活動をより盛んに行うようになる。すなわち、本実施形態の基地局１は、単に植物を備えるだけの従来の装置や建造物よりも大気中の二酸化炭素の低減に寄与することができる。
【００６９】
（２−２）ファン１４停止制御
なお、制御部１３は、上述のＳ５において、読み出した温度が所定の温度より大きい、又は、読み出した光量値が所定の光量より小さい場合（Ｓ５でＮｏの場合）には、ファン１４に停止信号を出力する（Ｓ８）。
【００７０】
読み出した光量値が所定の光量より小さい場合、すなわち光量のない夜間に、ファン１４を回し、装置内部の温かい空気を植物に排出しても、大気中の二酸化炭素を低減する効果を得ることはできないからである。
【００７１】
また、読み出した温度が所定の温度より大きい場合には、植物は十分に光合成を行うことができる状態であり、温かい装置内部の空気を与え続ける必要がない為、制御部１３は、停止信号を出力する。
【００７２】
上述のＳ８により、ファン１４は、制御部１３から停止信号が入力されると、自身に備わるファンを停止する（Ｓ９）。
【００７３】
その後、基地局装置１の各機能部は、上述のＳ１〜Ｓ９を繰り返し実施する。
【００７４】
なお、光合成部１０は、上面だけでなく、他の外面に備わっていてもよい。
【００７５】
また、上記では、本実施形態の基地局装置１は、ファンを用いて装置内部の温かい空気を光合成部１０に排出したが、ファンの代わりにエアポンプを用いて装置内部の温かい空気を光合成部１０に排出してもよい。その場合、ファン１４は、ファンの代わりにエアポンプを備える。また、本実施形態の基地局装置１の管理者は、装置内部の温かい空気が光合成部１０に向けて排出されるよう、エアポンプの吐出口を排気口１５に向けて設置する。ファン１４は、上述のＳ７において、制御部１３から起動信号が入力されると、ファンの代わりにエアポンプを駆動し、エアポンプは、装置内部の温かい空気を圧縮してファンよりも強く光合成部１０に排出する。
【００７６】
［効果の説明］
本実施形態によれば、基地局装置は、植物の光合成活動を盛んにし、単に植物を備えるだけの従来の装置や建造物よりも大気中の二酸化炭素の低減に寄与することができる。
【００７７】
なぜならば、本実施形態の基地局装置は、光合成部１０の緑色植物の光合成活動が低減する所定の温度以下となると、（光合成活動が行われる日中に）装置内部の温かい空気を光合成部１０の植物に向けて排出するからである。
【００７８】
その結果、寒さで光合成活動が低減していた光合成部１０の植物が、光合成活動をより盛んに行うようになる。すなわち、本実施形態の基地局１は、光合成部１０の植物の光合成活動を盛んにし、単に植物を備えるだけの従来の装置や建造物よりも大気中の二酸化炭素の低減に寄与することができる。
【００７９】
≪第２の実施の形態≫
次に、本発明の第２の実施の形態について説明する。
【００８０】
第２の実施形態の基地局装置は、日光のあたる複数の装置外面に上述の光合成部１０（緑色植物）を備える装置である。第２の実施形態の基地局装置は、各装置外面における光量を測定し、最も光量の多い装置外面に対し、装置内部の温かい空気を（ファンの向きを変えることで）排出する。
【００８１】
上述の動作により、第２の実施形態の基地局装置は、（太陽の動きにより）日光の当たる外面が変化したとしても、継続して緑色植物の光合成活動を盛んにすることができる。すなわち、第２の実施形態の基地局装置は、装置内部の温かい空気を１つの外面にしか排出しない第１の実施形態の基地局装置よりも長時間、緑色植物の光合成活動を盛んにすることができる。その結果、第２の実施形態の基地局装置は、第１の実施形態の基地局装置よりも二酸化炭素の低減に寄与することができる。
【００８２】
上述を実現する為の第２の実施の形態の基地局装置の構成や動作について以下に説明する。
【００８３】
［構成の説明］
（１）第２の実施形態の基地局装置の構成
図４は、本発明の第２の実施の形態における基地局装置の構成例を示す図（装置上方から見た図）である。
【００８４】
第２の実施形態の基地局装置２は、図４に示されるように、複数の装置外面（例えば、正面、右面、背面、左面、上面）に光合成部１０と排気口１４を備える。但し、上述の光合成部１０と排気口１４を備える装置外面のいくつかは、日中、日光の当たる装置外面である。
【００８５】
また、基地局装置２は、光合成部１０と排気口１４を備える外面それぞれに、光量測定部１１の代わりに光量測定部２１を備える。さらに、基地局装置２は、制御部１３とファン１４の代わりに、制御部２３とファン２４を備える。制御部２３は、各光量測定部２１とファン２４に接続される。
【００８６】
（２）基地局装置２を構成する各部位の機能
（２−１）光量測定部２１の機能
光量測定部２１は、自身が設置された外面に対応する番号（以下、「面番号」という）が本実施形態の基地局装置２の管理者によって予め設定される。
【００８７】
光量測定部２１は、所定のタイミングになると、光量測定部１１と同様に、自身が設置された外面における光量値を測定し、測定した光量値と上述の面番号とを出力する。
【００８８】
（２−２）制御部２３の機能
（２−２−１）各面の光量値を記憶する機能
制御部２３は、光量測定部２１から面番号と光量値が入力されると、それらを関連づけて一旦、メモリに記憶する。メモリに関連づけて記憶される面番号及び光量値は、以下、「光量情報」という。制御部２３には、各外面の光量測定部２１それぞれから面番号と光量値が入力される為、メモリには複数の光量情報が記憶されることとなる。
【００８９】
（２−２−２）最大の光量値の面に対応する面番号をファン２４に通知する機能
制御部２３は、所定のタイミングになると、メモリから温度と複数の光量情報を読み出す。
【００９０】
制御部２３は、温度と複数の光量情報を読み出すと、読み出した温度が所定の温度以下であり、且つ、読み出した複数の光量情報の中の光量値のいずれかが所定の光量値以上であるか否かを判定する。上述の所定の温度と所定の光量値は、第１の実施形態の基地局装置１で用いた値と同じである。
【００９１】
制御部２３は、読み出した温度が所定の温度以下であり、且つ、読み出した複数の光量情報の中の光量値のいずれかが所定の光量値以上ある場合には、読み出した光量情報のうち、最も大きな光量値を含む光量情報を抽出する。
【００９２】
次に、制御部２３は、最も大きな光量値を含む光量情報を抽出すると、ファン２４に起動信号を出力する。この際、制御部２３は、抽出した光量情報に含まれる面情報を、起動信号に含めて出力する。
【００９３】
一方、制御部２３は、上述の判定で、読み出した温度が所定の温度より大きい、又は、読み出した複数の光量情報の中の光量値のいずれも所定の光量値より小さい場合には、ファン２４に停止信号を出力する。すなわち、制御部２３は、読み出した温度が所定の温度より大きいか、又は、読み出した複数の光量情報の中の光量値のいずれも所定の光量値より小さい場合には、ファン２４に停止信号を出力する。
【００９４】
（２−３）ファン２４の機能
（２−３−１）ファン２４の機能概要
ファン２４は、起動信号が入力されると、起動信号から面番号を抽出する。
【００９５】
ファン２４は、抽出した面番号に対応する外面にファンを向け、ファンを起動して送風を開始する。抽出した面番号に対応する外面にファンを向ける為に、ファン２４は、以下の構成と機能を備えてもよい。
【００９６】
（２−３−２）抽出した面番号に対応する外面にファンを向ける為の機能
ファン２４のファンは、その下に回転する台座を備える。台座は、電流が入力されると、一定方向に回転する。また、ファン２４のファンは、基地局装置２の管理者によって、予め、任意の外面に向けて設置される。さらに、ファン２４には、基地局装置２の管理者により、上述の任意の外面を示す面番号が設定される。その際、ファン２４は、設定された面番号を、現在、ファンが向いている外面を示す番号（以下、「現在の面番号」という）として記憶する。
【００９７】
ファン２４は、面番号を抽出すると、抽出した面番号（以下、「抽出面番号」という）と記憶する現在の面番号に対応する所定の時間、電流を台座に流す。上述の所定の時間は、現在の面番号が示す外面から抽出面番号が示す外面にファンが向くまでの時間である。上述の所定の時間は、本実施形態の基地局装置２の管理者により、抽出面番号と現在の面番号に対応づけてファン２４に設定される。
【００９８】
本実施形態の基地局装置２の管理者は、基地局装置２の、ある外面（以下、「回転元外面」という）から別の外面（以下、「回転先外面」という）にファンが向くまでの時間を、実際に台座に電流を流して、計測してもよい。本実施形態の基地局装置２の管理者は、計測した時間、計測したときの回転先外面を示す面番号、及び回転元外面を示す面番号を、所定の時間、抽出面番号、及び現在の面番号として対応づけ、それぞれファン２４に設定する。
【００９９】
ファン２４は、上述の所定の時間、電流を流した後、抽出した面番号（すなわち、抽出面番号）を現在の面番号として記憶する。ファンが向いた新たな外面を認識する為である。
【０１００】
なお、上述の電流は、一般的な電気信号であってもよい。
【０１０１】
上述した以外の構成や機能は、第１の実施の形態における基地局装置１と同じであるので、同一の符号を付して説明を省略する。
【０１０２】
[動作の説明]
次に、本実施形態の基地局装置２の動作を説明する。図５は、本発明の第２の実施の形態における基地局装置２の動作を説明する為の図である。
【０１０３】
（１）光量測定動作
まず、各光量測定部２１は、図５に示されるように、所定のタイミングになると、自身が設置された外面における光量値を測定し、測定した光量値と、自身が設置された面を示す所定の面番号と、を制御部１３に出力する（Ｓ２１）。
【０１０４】
次に、制御部１３は、光量測定部２１から光量値と面番号が入力されると、入力された面番号と光量値とを関連づけ、一旦、自身に備わるメモリに記憶する（Ｓ２２）。
【０１０５】
この際、制御部１３は、入力された面番号と同じ面番号がすでにメモリに記憶されていたときには、当該面番号に関連づけてメモリに記憶されている光量値を、入力された光量値で更新する。これにより、メモリには、常に最新の光量値のみが記憶される。
【０１０６】
なお、メモリに関連づけて記憶される面番号及び光量値は、以下、「光量情報」という。制御部２３には、各外面の光量測定部２１それぞれから面番号と光量値が入力される為、メモリには複数の光量情報が記憶される。
【０１０７】
次に、温度測定部１２と制御部２３は、第１の実施形態の基地局装置１と同様、上述のＳ３、Ｓ４を実施し、装置外部の温度をメモリに記憶する（Ｓ３、Ｓ４）。
【０１０８】
（２）制御部２３によるファン２４制御動作
（２−１）ファン２４を動作させる制御
次に、制御部２３は、所定のタイミングになると、メモリから温度と複数の光量情報を読み出す（Ｓ２５）。
【０１０９】
次に、制御部２３は、温度と複数の光量情報を読み出すと、読み出した温度が所定の温度以下で、且つ、読み出した光量情報に含まれる光量値のいずれかが所定の光量値以上であるか否かを判定する（Ｓ２６）。
【０１１０】
上述の所定の温度と所定の光量値は、第１の実施形態の基地局装置１で用いた値と同じである。
【０１１１】
次に、制御部２３は、読み出した温度が所定の温度以下で、且つ、読み出した光量情報に含まれる光量値のいずれかが所定の光量以上である場合（Ｓ２６でＹｅｓの場合）には、読み出した光量情報のうち、最も大きな光量値を含む光量情報を抽出する（Ｓ２７）。
【０１１２】
次に、制御部２３は、最も大きな光量値を含む光量情報を抽出すると、ファン２４に起動信号を出力する（Ｓ２８）。
【０１１３】
但し、この際、制御部２３は、上述のＳ２７で抽出した光量情報に含まれる面情報を、起動信号に含めて出力する。
【０１１４】
次に、ファン２４は、制御部２３から起動信号が入力されると、起動信号から面番号を抽出し、抽出した面番号に対応する外面に向け、ファンを起動して送風を開始する（Ｓ２９）。
【０１１５】
なお、ファン２４は、上述の「（２−３−２）面番号に対応する面にファンを向ける為の機能」に示した機能を用いて、抽出した面番号に対応する外面にファンを向けてもよい。
【０１１６】
上述のＳ２１〜Ｓ２２、Ｓ３〜Ｓ４、及びＳ２５〜Ｓ２９が実施された結果、最も光量の多い装置外面の光合成部１０に対して装置内部の温かい空気が排出されることとなる。すなわち、第２の実施形態の基地局装置２は、（太陽の動きにより）日光の当たる外面が変化したとしても、継続して緑色植物の光合成活動を盛んにすることができる。すなわち、第２の実施形態の基地局装置は、１つの外面にしか装置内部の温かいを排出しない第１の実施形態の基地局装置よりも長時間、緑色植物の光合成活動を盛んにすることができる。その結果、第２の実施形態の基地局装置は、第１の実施形態の基地局装置よりも大気中の二酸化炭素の低減に寄与することができる。
【０１１７】
（２−２）ファン２４停止制御
ところで、制御部２３は、上述のＳ２６において、読み出した温度が所定の温度より大きい、又は、読み出した複数の光量情報の中の光量値のいずれも所定の光量より小さい場合（Ｓ２６でＮｏの場合）、上述のＳ８と同様、ファン２４に停止信号を出力する（Ｓ８）。
【０１１８】
ファン１４は、制御部１３から停止信号が入力されると、自身に備わるファンを停止する（Ｓ９）。
【０１１９】
その他の動作については、第１の実施の形態の動作と同様である為、詳細の説明を省略する。
【０１２０】
［効果の説明］
本実施形態によれば、基地局装置は、第１の実施形態の基地局装置よりも大気中の二酸化炭素の低減に寄与することができる。
【０１２１】
なぜなら、本実施形態の基地局装置は、最も光量の多い装置外面の光合成部１０に対して装置内部の温かい空気を排出するからである。その結果、本実施形態の基地局装置は、（太陽の動きにより）日光の当たる外面が変化したとしても、継続して緑色植物の光合成活動を盛んにすることができる。すなわち、本実施形態の基地局装置は、装置内部の温かい空気を１つの外面にしか排出しない第１の実施形態の基地局装置よりも長時間、緑色植物の光合成活動を盛んにすることができる。その為、本実施形態の基地局装置は、第１の実施形態の基地局装置よりも一層大気中の二酸化炭素の低減に寄与することができる。
【０１２２】
≪第３の実施の形態≫
図６は、本発明の第３の実施の形態における装置の構成例を示す図である。以下に、第３の実施の形態の装置の構成と動作について説明する。
【０１２３】
［構成の説明］
（１）第３の実施形態の装置の構成
第３の実施形態の装置３は、図６に示されるように、葉緑体を含む植物３０を外面に備えた装置である。第３の実施形態の装置３は、基地局装置や自動販売機であってもよい。
【０１２４】
また、第３の実施形態の装置３は、温度測定部３１と、光量測定部３２と、排気口３３と、制御部３４と、排気部３５と、を備える。制御部３４は、温度測定部３１、光量測定部３２、及び排気部３５と接続される。なお、排気口３３は、上述の植物３０を備える外面に設けられる。排気部３５は、ファン、エアポンプのいずれか、又は両方を備える。排気部３５は、ファンであってもよい。
【０１２５】
[動作の説明]
次に、本実施形態の装置の動作を説明する。
【０１２６】
まず、温度測定部３１は、装置３外部の温度を計測する。
【０１２７】
次に、光量測定部３２は、植物３０を備える外面における光量値を計測する。
【０１２８】
次に、制御部３４は、以下の条件１と条件２の両方を満たす場合には、第１の信号を出力する。
【０１２９】
（条件１）温度測定部３１によって計測された温度が、装置３の設置場所において植物３０の光合成活動が低減する所定の温度以下である。
【０１３０】
（条件２）光量測定部３２によって計測された光量値が、植物３０が光合成活動を開始する所定の光量値以上である。
【０１３１】
上述の所定の温度は、装置３の管理者によって制御部３４に設定される。装置３の管理者は、装置３の設置場所において植物３０の光合成活動が低減する冬場の温度（例えば、５度）を制御部３４に設定してもよい。
【０１３２】
上述の所定の光量値も、装置３の管理者によって設定される。装置３の管理者は、（植物３０が光合成を開始する）明け方の光量値を光量計等で測定し、その測定した光量値を所定の光量値として制御部３４に設定してもよい。
【０１３３】
排気部３５は、第１の信号が入力されると、排気口３４から装置３内部の空気を排出する。排気部３５は、自身にファンを備える場合、ファンを回して排気口３４から装置３内部の空気を排出してもよい。装置３内部の空気は、装置３が動作することで発生した熱によって温められた空気、すなわち、装置３の発熱を受けた空気である。装置３内部の空気は、装置外部の空気よりも温かい。
【０１３４】
上述の装置３の動作により、装置３内部の温かい空気が植物３０に触れることとなる。その結果、寒さで光合成活動が低減していた植物３０が、光合成活動をより盛んに行うようになる。
【０１３５】
［効果の説明］
本実施形態によれば、装置は、植物３０の光合成活動を盛んにし、単に植物３０を備えるだけの従来の装置や建造物よりも大気中の二酸化炭素の低減に寄与することができる。
【０１３６】
なぜならば、本実施形態の装置３０は、植物３０の光合成活動が低減する所定の温度以下となると、（光合成活動が行われる所定の光量があるときに、）装置内部の温かい空気を植物３０に向けて排出するからである。その結果、寒さで光合成活動が低減していた植物３０は、光合成活動をより盛んに行うようになる。すなわち、本実施形態の装置は、植物３０の光合成活動を盛んにし、単に植物を備えるだけの従来の装置や建造物よりも大気中の二酸化炭素の低減に寄与することができる。
【０１３７】
なお、上述した実施の形態は、その形態に限定されるものではなく、実施段階ではその要旨を逸脱しない範囲で種々変更可能である。
【０１３８】
さらに、上記の各実施形態の一部又は全部は、以下の付記のようにも記載されうるが、以下には限られない。
（付記１）
葉緑体を含む植物を外面に備えた装置であって、
前記装置外部の温度を計測する温度測定部と、
前記植物を備える前記外面における光量値を計測する光量測定部と、
前記植物を備える前記外面に設けられた排気口と、
前記温度測定部によって計測された前記温度が、前記装置の設置場所において前記植物の光合成活動が低減する所定の温度以下で、且つ、前記光量測定部によって計測された前記光量値が、前記植物が光合成を開始する所定の光量値以上である場合には、第１の信号を出力する制御部と、
前記第１の信号が入力されると、前記排気口から前記装置の発熱を受けた前記装置内部の空気を排出する排気部と、
を備えることを特徴とする装置。
（付記２）
前記所定の温度は、前記装置の設置場所における第１の温度よりも低く、前記第１の温度時よりも前記植物の光合成活動が低下する、前記装置の設置場所における第２の温度である、
ことを特徴とする付記１に記載の装置。
（付記３）
前記温度測定部は、第１のタイミングになると、前記装置外部の温度を計測して出力し、
前記光量測定部は、前記第１のタイミング又は第２のタイミングになると、前記植物を備える前記外面において計測した光量値を出力し、
前記制御部は、前記温度測定部から入力された前記温度が前記所定の温度以下で、且つ、前記光量測定部から入力された前記光量値が前記所定の光量値以上である場合には、前記第１の信号を出力し、
前記排気部は、前記空気を含む空間に備わり、前記第１の信号が入力されると、前記空気を前記排気口に送風する、
ことを特徴とする付記１乃至２のいずれか１項に記載の装置。
（付記４）
光のあたる複数の前記外面に、前記植物と、前記光量測定部と、前記排気口と、を備え、
前記光量測定部は、自身が備わる前記外面に対応する所定の識別子及び自身が備わる前記外面において測定した前記光量値を出力し、
前記制御部は、前記光量測定部から入力された前記光量値と前記識別子を関連づけ、第３のタイミングになると、前記温度測定部から入力された前記温度が前記所定の温度以下で、且つ、前記光量測定部から入力された前記光量値のいずれかが、前記所定の光量値以上である場合には、最も大きな前記光量値に関連する前記識別子を出力し、
前記排気部は、入力された識別子に対応する前記外面に備わる前記排気口に前記空気を送風する、
ことを特徴とする付記１乃至３のいずれか１項に記載の装置。
（付記５）
前記排気部は、ファン、エアポンプのいずれか、又は両方を備える、
ことを特徴とする付記１乃至４のいずれか１項に記載の装置。
（付記６）
前記ファンは、電気信号が入力されると一定方向に回転する台座の上に備わり、
前記ファンは、入力された識別子に対応する前記外面に向く所定の時間、前記台座に前記電気信号を出力すると、送風を開始する、
ことを特徴とする付記５に記載の装置。
（付記７）
葉緑体を含む植物を外面に備えた装置の制御方法であって、
前記装置外部の温度を計測する温度測定工程と、
前記植物を備える前記外面における光量値を計測する光量測定工程と、
前記温度測定工程によって計測された前記温度が、前記装置の設置場所において前記植物の光合成活動が低減する所定の温度以下で、且つ、前記光量測定部によって計測された前記光量値が、前記植物が光合成を開始する所定の光量値以上である場合には、第１の信号を出力する制御工程と、
前記第１の信号が入力されると、前記植物を備える前記外面に設けられた排気口から前記装置の発熱を受けた前記装置内部の空気を排出する排気工程と、を有する、
ことを特徴とする二酸化炭素削減方法。
（付記８）
前記所定の温度は、前記装置の設置場所における第１の温度よりも低く、前記第１の温度時よりも前記植物の光合成活動が低下する、前記装置の設置場所における第２の温度である、
ことを特徴とする付記７に記載の二酸化炭素削減方法。
（付記９）
前記温度測定工程は、第１のタイミングになると、前記装置外部の温度を計測して出力し、
前記光量測定工程は、前記第１のタイミング又は第２のタイミングになると、前記植物を備える前記外面におけて計測した光量値を出力し、
前記制御工程は、前記温度測定工程により入力された前記温度が前記所定の温度以下で、且つ、前記光量測定工程により入力された前記光量値が前記所定の光量値以上である場合には、前記第１の信号を出力し、
前記排気工程は、前記第１の信号が入力されると、前記空気を前記排気口に送風する、
ことを特徴とする付記７乃至８のいずれか１項に記載の二酸化炭素削減方法。
（付記１０）
前記光量測定工程は、植物が備わり、且つ、光のあたる複数の前記外面毎に、計測した光量値と前記外面に対応する所定の識別子を出力し、
前記制御工程は、前記光量測定工程により入力された前記光量値と前記識別子を関連づけ、第３のタイミングになると、前記温度測定工程によって入力された前記温度が前記所定の温度以下で、且つ、前記光量測定工程によって入力された前記光量値のいずれかが、前記所定の光量値以上である場合には、最も大きな前記光量値に関連する識別子を出力し、
前記排気工程は、入力された識別子に対応する前記外面に備わる前記排気口に前記空気を送風する、
ことを特徴とする付記７乃至９のいずれか１項に記載の二酸化炭素削減方法。
（付記１１）
前記ファンは、前記排気口に向いて備わる、
ことを特徴とする付記５乃至６のいずれか１項に記載の装置。
【符号の説明】
【０１３９】
１、２    基地局装置
３    装置
１０    光合成部
１１、２１    光量測定部
１２    温度測定部
１３、２３    制御部
１４、２４    ファン
１５    排気口
１５０    防虫ネット
１５１    防水フード
３２    光量測定部
３３    排気口
３４    制御部
３５    排気部
【図１】
2016063799.tif 000003
【図２】
2016063799.tif 000004
【図３】
2016063799.tif 000005
【図４】
2016063799.tif 000006
【図５】
2016063799.tif 000007
【図６】
2016063799.tif 000008